(57)【要約】【課題】  ディスク判定の誤りに起因する再生動作の停止を防止し得るディスク再生装置及びディスク再生方法を提供する。【解決手段】  ディスク再生装置１００は、ディスク１にて反射された反射光の光量から、ディスク１の種類を判別するディスク判別部１１ａと、ディスク判別部１１ａにより判別された種類のディスク設定に基づいて、ディスク１を再生する再生手段とを備えており、上記再生手段による再生開始時に、再生が正常に動作しているか否かを判定する正常再生判定部１１ｂと、正常再生判定部１１ｂにより、非正常であると判定されたときに、ディスク判別部１１ａにより判別された種類と異なる種類のディスク設定に変更するディスク設定切り換え部１１ｃとを備えている。【選択図】  図６
2006190373.tif 000002
【特許請求の範囲】
【請求項１】
ディスクにて反射された反射光の光量から、ディスクの種類を判別するディスク判別手段と、
上記ディスク判別手段により判別された種類のディスク設定に基づいて、ディスクを再生する再生手段とを備えたディスク再生装置であって、
上記再生手段による再生開始時に、再生が正常に動作しているか否かを判定する正常再生判定手段と、
上記正常再生判定手段により、非正常であると判定されたときに、ディスク設定を上記ディスク判別手段により判別された種類と異なる種類のディスク設定に変更するディスク設定変更手段とを備えたことを特徴とするディスク再生装置。
【請求項２】
さらに、ディスクにて反射された反射光を電気信号に変換する光電気信号変換手段を備え、
上記光電気信号変換手段が上記反射光の光量を電気信号に変換するときの設定を、上記ディスク判別手段により判別されたディスクの種類に対応して切り換えることによって、上記ディスク設定を切り換えることを特徴とする請求項１に記載のディスク再生装置。
【請求項３】
上記ディスク判別手段は、上記電気信号の値が基準として設定された判定値を上回るか否かで、ディスクの種類を判定しており、
上記ディスク設定変更手段は、上記ディスク判別手段による判定結果と反対の判定に基づいて、ディスク設定を切り換えるようになっていることを特徴とする請求項２に記載のディスク再生装置。
【請求項４】
上記ディスク判別手段は、上記電気信号の値が判定値を上回るか否かで、ディスクの種類を判定しており、
上記正常再生判定手段により、非正常であると判定されたときに、上記電気信号の値に基づいて、上記判定値を補正する判定値補正手段をさらに備えたことを特徴とする請求項２または３に記載のディスク再生装置。
【請求項５】
さらに、電気信号の値を記憶する記憶手段を備え、
上記判定値補正手段は、上記光電気信号変換手段により変換された電気信号の値と、上記記憶手段により記憶された電気信号の値とを比較し、その比較結果に基づいて、判定値を変更するようになっていることを特徴とする請求項４に記載のディスク再生装置。
【請求項６】
さらに、内部温度を検出する温度検出手段を備え、
上記温度検出手段により検出された温度により、上記判定値の温度補正を行う判定値温度補正手段を備えたことを特徴とする請求項３〜５の何れか１項に記載のディスク再生装置。
【請求項７】
さらに、内部温度を検出する温度検出手段を備え、
上記温度検出手段により検出された温度により、上記記憶手段により記憶された電気信号の値の温度補正を行う電気信号値温度補正手段を備えたことを特徴とする請求項５に記載のディスク再生装置。
【請求項８】
ディスクにて反射された反射光の光量から、ディスクの種類を判別するディスク判別工程と、
上記ディスク判別工程にて判別された種類のディスク設定に基づいて、ディスクを再生する再生工程とを含んだディスク再生方法であって、
上記再生工程における再生開始時に、再生が正常に動作しているか否かを判定する正常再生判定工程と、
上記正常再生判定工程にて、非正常であると判定されたときに、上記ディスク判定工程にて判定された種類と異なる種類のディスク設定に変更するディスク設定変更工程と含んだことを特徴とするディスク再生方法。
【発明の詳細な説明】
【技術分野】
【０００１】
本発明は、ディスクに記録された音声／音楽データ等の情報信号を再生するディスク再生装置、及びディスク再生方法に関するものである。
【背景技術】
【０００２】
以下に、従来のディスク再生装置として、ミニディスク再生装置(以下、ＭＤ再生装置と記す)を例に挙げて説明を行う。上記ＭＤ再生装置は、記憶媒体であるミニディスク(以下、ディスクと記す)に、デジタル記録された音声／音楽データ等の情報信号を再生するデジタルオーディオ機器である。
【０００３】
ここで、上記ディスクにデジタル記録された情報信号には、時間軸圧縮が施されている。そのため、上記ＭＤ再生装置は、上記ディスクから読み出した情報信号を時間軸伸長した後に、デジタル／アナログ変換することにより、元の音声／音楽データ等を再生している。
【０００４】
このようなＭＤ再生装置の一例が、例えば特許文献１に開示されている。
【０００５】
このＭＤ再生装置では、特許文献１に記載されているように、ディスクを再生する場合に、ＣＤと同じようなプリマスタードディスクと呼ばれる光学ディスクである高反射ディスクと、録再ディスクタイプの光磁気ディスクである低反射ディスクとの両方において、再生できるようになっている。
【０００６】
このＭＤ再生装置は、まず、レーザービームの戻り光の光量を電気信号に変換する光電気信号変換手段と、高反射ディスクと低反射ディスクとのどちらが装着されたかをディスクに照射したレーザーの戻り光量にて判断するディスク検出手段とにより、再生しようとするディスクが、高反射ディスクか低反射ディスクかを判定して、ディスク検出手段に対応して光電気信号変換手段の設定を切り換えて、ディスクに記録された情報を再生している。
【特許文献１】特公平５−１３３３８号公報（平成５年２月２２日公告）
【発明の開示】
【発明が解決しようとする課題】
【０００７】
しかしながら、上記特許文献１に開示されているＭＤ再生装置では、ディスクの判定を誤るという問題が生じる。
【０００８】
すなわち、上記特許文献１に開示されているＭＤ再生装置では、使用するディスクに対して、反射率、ピックアップのレーザーパワー、あるいは光電気信号変換手段により変換されるレーザービームの戻り光の電気信号にばらつきが生じる。
【０００９】
このようなばらつきが生じる原因としては、1.ディスクの反射率のばらつき、2.レーザー出射パワーのばらつき(同じ電圧設定でも、出射パワーがばらつく)、3.光電気信号変換回路のばらつき(同じレーザーパワーでも変換回路出力がばらつく)、4.ＲＦ  ＩＣの回路のばらつき(同じ変換回路の出力がＲＦ  ＩＣに入力されても、ＲＦ  ＩＣの出力信号がばらつく)が挙げられる。
【００１０】
また、このＭＤ再生装置では、高反射ディスクと低反射ディスクとを判定するディスク判定レベルが固定値であるので、このようなばらつきにより、レーザーの戻り光量がディスク判定レベルに対してグレイゾーンとなった場合、ディスク判定を誤ってしまう。
【００１１】
それゆえ、特許文献１に開示されているＭＤ再生装置では、例えば、高反射ディスクを低反射ディスクとして再生しようとしてしまう。このため、イニシャライズに時間が長く掛かり、結果として、再生動作できずに、エラーメッセージを表示して装置の動作を停止させてしまうという問題があった。
【００１２】
また、ＭＤ再生装置の使用者が、不思議に思い、再度、再生させようとしても、同様な動作を繰り返すこととなるだけであった。
【００１３】
本発明は、上記の問題点に鑑みなされたものであって、その目的は、ディスク判定の誤りに起因する再生動作の停止を防止し得るディスク再生装置及びディスク再生方法を提供することにある。
【課題を解決するための手段】
【００１４】
本発明のディスク再生装置は、上記の課題を解決するために、ディスクにて反射された反射光の光量から、ディスクの種類を判別するディスク判別手段と、上記ディスク判別手段により判別された種類のディスク設定に基づいて、ディスクを再生する再生手段とを備えたディスク再生装置であって、上記再生手段による再生開始時に、再生が正常に動作しているか否かを判定する正常再生判定手段と、上記正常再生判定手段により、非正常であると判定されたときに、ディスク設定を上記ディスク判別手段により判別された種類と異なる種類のディスク設定に変更するディスク設定変更手段とを備えたことを特徴としている。
【００１５】
上記の構成によれば、ディスクの反射率、あるいはピックアップのレーザーパワーにばらつきが生じることで、ディスクの種類の判定を誤り、イニシャライズに時間が長く掛かり、結果として再生動作できずにエラーメッセージを表示して動作を停止させてしまうという問題を防ぐことができる。
【００１６】
すなわち、上記の構成によれば、ディスク判別手段が単にディスクの種類を判別するのではなく、再生手段がディスク判別手段により判別された種類のディスク設定に基づいて、ディスクの再生を開始し、続いて正常再生判定手段が、上記再生手段による再生が正常に動作しているか否かを再生開始時に判定するので、再生に成功したか否かによって、ディスク判別手段によってなされたディスクの種類の判別が正しいか否かを確認することができる。
【００１７】
より具体的には、ディスクの反射率、あるいは、ピックアップのレーザーパワーばらつきが生じた場合には、上記正常再生判定手段により「非正常である」と判定されるので、ディスク判別手段によってなされたディスクの種類の判別が不適切であったことが判る。このため、ディスクの種類を、従来よりも、的確に判定することができる。
【００１８】
そして、上記の構成によれば、ディスク設定変更手段が、上記ディスク判別手段により判別された種類と異なる種類のディスク設定に変更し、この変更されたディスク設定に基づき再生動作が行われるので、ディスクの種類の不適切な判別に基づく、間違ったディスク設定のまま再生を行おうとして、結局再生動作できずにエラーメッセージを表示して動作を停止させてしまうということがない。したがって、再生前に行われるイニシャライズに時間が掛からない。
【００１９】
以上のように、上記の構成によれば、ディスク判定の誤りに起因する再生動作の停止を防止し得るディスク再生装置を提供することができる。
【００２０】
なお、上記ディスク判別手段は、ディスクにて反射された反射光の光量から、ディスクの種類を判別するものである。このようなディスク判別手段により判定されるディスクの種類としては、例えば「高反射ディスク」あるいは「低反射ディスク」が挙げられる。
【００２１】
また、上記「ディスク設定」とは、このような「ディスクの種類」に応じた、ディスク再生装置の各種構成要素の設定のことをいう。より具体的には、光電気信号変換手段のゲイン切り換え信号やＲＦ  ＩＣのＥＦＭ信号の生成回路の切り換え信号としての「ＨＩＧＨレベル信号」または「ＬＯＷレベル信号」となる。
【００２２】
このような「ディスク設定」の中で、例えば、本発明のディスク再生装置では、さらに、ディスクにて反射された反射光を電気信号に変換する光電気信号変換手段を備え、上記光電気信号変換手段が上記反射光の光量を電気信号に変換するときの設定を、上記ディスク判別手段により判別されたディスクの種類に対応して切り換えることによって、上記ディスク設定を切り換えていてもよい。
【００２３】
すなわち、上記の構成によれば、上記光電気信号変換手段が上記反射光の光量を電気信号に変換するときの設定を、上記ディスク判別手段により判別されたディスクの種類に対応して切り換えることによって、上記ディスク設定を切り換えているので、上記再生手段は、上記ディスク判別手段により判別された種類に対応して切り換えられた電気信号の変換の設定に基づき、ディスクを再生し、上記ディスク設定変更手段は、上記正常再生判定手段により非正常であると判定されたときに、上記ディスク判別手段により判別された種類と異なる種類に応じた電気信号の変換設定に変更していることになる。
【００２４】
光電気信号変換手段により変換されるレーザービームの戻り光の電気信号にばらつきが生じることで、ディスクの種類の判定を誤り、イニシャライズに時間が長く掛かる場合もある。
【００２５】
上記の構成によれば、光電気信号変換手段により変換されるレーザービームの戻り光の電気信号にばらつきが生じた場合であっても、上記ディスク判別手段により判別された種類と異なる種類に応じた電気信号の変換設定に変更しているので、ディスク判定の誤りに起因する再生動作の停止を防止し得るディスク再生装置を提供することができる。
【００２６】
また、本発明のディスク再生装置では、上記ディスク判別手段は、上記電気信号の値が基準として設定された判定値を上回るか否かで、ディスクの種類を判定しており、上記ディスク設定変更手段は、上記ディスク判別手段による判定結果と反対の判定に基づいて、ディスク設定を切り換えるようになっていることが好ましい。
【００２７】
上記の構成によれば、例えば、ディスク判別手段が、「判定値を上回る」ようなディスクの種類を判定し、かつ正常再生判定手段により、非正常な再生であると判定された場合に、上記ディスク設定変更手段は、上記ディスク判別手段による判定結果と反対の判定、すなわち「判定値を下回る」という判定に基づいて、ディスク設定を切り換えるようになっている。
【００２８】
それゆえ、ディスクの反射率、ピックアップのレーザーパワー、あるいは光電気信号変換手段により変換されるレーザービームの戻り光の電気信号にばらつきにより、電気信号値が判定値を上回るか否かを判定しにくい場合（電気信号値が判定値に近い値であり、グレイゾーンになっている場合）であっても、再生が正常に行われなければ、ディスク設定変更手段は、即座にディスク設定を切り換えるので、ディスクの正しい種類に応じた正常な再生を、従来よりも、速やかに行うことができる。
【００２９】
また、本発明のディスク再生装置では、上記ディスク判別手段は、上記電気信号の値が判定値を上回るか否かで、ディスクの種類を判定しており、上記正常再生判定手段により、非正常であると判定されたときに、上記電気信号の値に基づいて、上記判定値を補正する判定値補正手段をさらに備えたことが好ましい。
【００３０】
上記の構成によれば、正常再生判定手段により、非正常であると判定されたということは、ディスクの種類を判定するための判定値が不適切であったことを意味する。これに対し、判定値補正手段は、上記正常再生判定手段により、非正常であると判定されたときに、上記光電気信号変換手段により変換された電気信号値に基づいて、判定値を補正するので、上記正常再生判定手段が非正常であると判定する毎に、判定値の精度を高めることになる。それゆえ、再度、同じ種類のディスクを再生する場合においても、繰り返し、エラーメッセージを表示して装置の動作を停止させてしまうことを防ぎ、適切に再生させることが可能になる。
【００３１】
また、本発明のディスク再生装置では、さらに、電気信号の値を記憶する記憶手段を備え、上記判定値補正手段は、上記光電気信号変換手段により変換された電気信号の値と、上記記憶手段により記憶された電気信号の値とを比較し、その比較結果に基づいて、判定値を変更することが好ましい。
【００３２】
このように、上記の構成によれば、判定値を、ディスクのばらつきやピックアップの経時変化、回路の経時変化に対応して、学習効果を持たせることができ、ディスク誤判定が生じた場合であっても、判定値を自動的に修正することができる。
【００３３】
上記の構成によれば、さらに電気信号値を記憶する記憶手段を備えている。そして、判定値補正手段が判定値を変更する場合に、上記光電気信号変換手段により変換された電気信号の値に加え、上記記憶手段により記憶された電気信号の値が使用されている。すなわち、判定値補正手段は、上記光電気信号変換手段により変換された電気信号の値と、上記記憶手段により記憶された電気信号の値とを比較し、その比較結果に基づいて、判定値を変更しているので、判定値の設定を、より正確にできる。
【００３４】
また、本発明のディスク再生装置では、さらに、内部温度を検出する温度検出手段を備え、上記温度検出手段により検出された温度により、上記判定値の温度補正を行う判定値温度補正手段を備えたことが好ましい。
【００３５】
ディスク再生装置では、内部温度に応じて、レーザービームの出力を変化させている。内部温度が低温である場合には、レーザービームの出力を上げる一方、内部温度が高温である場合には、レーザービームの出力を下げる動作が行われている。それゆえ、同じ種類のディスクを再生した場合であっても、光電気信号変換手段により変換される電気信号の値が内部温度に応じて変化することとなる。
【００３６】
上記の構成によれば、内部温度を検出する温度検出手段を備え、判定値温度補正手段は、上記温度検出手段により検出された温度により、上記判定値の温度補正を行うので、より正確に、ディスクの種類の判定ができる。
【００３７】
また、本発明のディスク再生装置では、さらに、内部温度を検出する温度検出手段を備え、上記温度検出手段により検出された温度により、上記判定値の温度補正を行う判定値温度補正手段の代わりに、上記記憶手段により記憶された電気信号の値の温度補正を行う電気信号値温度補正手段を備えたことが好ましい。
【００３８】
上記の構成によれば、電気信号値温度補正手段は、温度検出手段により検出された温度により、記憶手段により記憶された電気信号の値の温度補正を行うので、上記正常再生判定手段により、非正常であると判定された時、判定値補正手段が電気信号値に基づいて、判定値を変更する際に、上記記憶手段にて記憶された電気信号の値について温度補正を行った値を使用することとなる。それゆえ、上記判定値補正手段は、より正確に上記判定値を変更することができ、ディスクの種類の判定がより正確になる。
【００３９】
このように、上記の構成によれば、判定値、または、電気信号の値を、内部温度に応じて可変させることができ、ディスクの誤判定を減らすことが可能となる。
【００４０】
本発明のディスク再生方法は、上記の課題を解決するために、ディスクにて反射された反射光の光量から、ディスクの種類を判別するディスク判別工程と、上記ディスク判別工程にて判別された種類のディスク設定に基づいて、ディスクを再生する再生工程とを含んだディスク再生方法であって、上記再生工程における再生開始時に、再生が正常に動作しているか否かを判定する正常再生判定工程と、上記正常再生判定工程にて、非正常であると判定されたときに、上記ディスク判定工程にて判定された種類と異なる種類のディスク設定に変更するディスク設定変更工程と含んだことを特徴としている。
【００４１】
上記の構成によれば、正常再生判定工程にて、上記再生工程における再生開始時に、再生が正常に動作しているか否かを判定するので、ディスクの反射率、あるいは、ピックアップのレーザーパワーばらつきが生じた場合であっても、「非正常である」と判定される。このため、ディスクの種類を、従来よりも、的確に判定することができる。また、「非正常である」と判定された場合、ディスク設定変更工程にて、上記ディスク判別工程にて判別された種類と異なる種類のディスク設定に変更し、この変更されたディスク設定に基づき再生動作を行うので、ディスクの種類の不適切な判別に基づく、間違ったディスク設定のまま再生を行おうとして、結局再生動作できずにエラーメッセージを表示して動作を停止させてしまうということがない。したがって、再生前に行われるイニシャライズに時間が掛からない。
【００４２】
以上のように、上記の構成によれば、ディスク判定の誤りに起因する再生動作の停止を防止し得るディスク再生方法を提供することができる。
【発明の効果】
【００４３】
本発明のディスク再生装置は、以上のように、再生手段による再生開始時に、再生が正常に動作しているか否かを判定する正常再生判定手段と、上記正常再生判定手段により、非正常であると判定されたときに、ディスク判別手段により判別された種類と異なる種類のディスク設定に変更するディスク設定変更手段とを備えた構成である。
【００４４】
また、本発明のディスク再生方法は、以上のように、再生工程における再生開始時に、再生が正常に動作しているか否かを判定する正常再生判定工程と、上記正常再生判定工程にて、非正常であると判定されたときに、ディスク判定工程にて判定された種類と異なる種類のディスク設定に変更するディスク設定変更工程と含んだ構成である。
【００４５】
この発明によれば、ディスクの反射率、ピックアップのレーザーパワー、あるいは光電気信号変換手段により変換されるレーザービームの戻り光の光電気信号にばらつきが生じることで、ディスクの種類の判定を誤り、イニシャライズに時間が長く掛かり、結果として再生動作できずにエラーメッセージと表示して動作を停止させてしまうという問題を防ぐことができる。
【発明を実施するための最良の形態】
【００４６】
本発明の実施の一形態について、図１〜図４に基づいて説明する。なお、本発明のディスク再生装置は、これに限定されるものではない。本発明のディスク再生装置として、携帯用のＭＤ再生装置を例に挙げて、以下に説明を行う。図１は、本実施形態のディスク再生装置の概略構成を示すブロック図である。
【００４７】
ディスク再生装置１００は、ディスク１の再生を行うものである。ディスク１は、同心円状、または、螺旋状のトラックを有しており、音声／音楽データ等の情報信号が上記トラックに沿ってデジタル記録されている。
【００４８】
ディスク１がコンパクトディスク（ＣＤ）等の高反射ディスクである場合、音声／音楽データ等の主情報が格納されているメモリ領域のアドレス情報等を含んだＴＯＣ（Table of Contents）情報が記録されている。また、ディスク１がミニディスク（ＭＤ）等の低反射ディスクである場合には、ディスクタイトル名や各トラックタイトル名、及び、音声／音楽データが格納されているメモリ領域のアドレス情報等を含んだＵ−ＴＯＣ（User's Table of Contents）情報が記録されている。
【００４９】
図１に示すように、ディスク再生装置１００は、スピンドルモータ２、ピックアップ３、送りモータ４、ドライバ回路５、ＲＦアンプ６、デコーダLSI７、ショックプルーフメモリ８、アンプ回路９、ヘッドホン１０、システムコントローラ１１、電源回路１２、電源電圧検出回路１３、電源１４、及び、蓋閉止スイッチ１５を備えている。
【００５０】
ディスク１に記録された情報信号を再生するに際し、ディスク再生装置１００では、スピンドルモータ２が、ディスク１を線速度一定、あるいは、角速度一定で回転駆動させる。そして、送りモータ４により、ピックアップ３が、ディスク１の半径方向にステップ駆動される。そして、このステップ駆動により、ピックアップ３は、ディスク１の所定のトラックに位置決めされる。ピックアップ３は、ディスク１の所定のトラックに向けて、レーザービームを照射する。そして、再び、ピックアップ３が、例えばそのトラックにおける反射光の強弱変化を検出することにより、ディスク１に記録された情報信号の読み取りが行われる。
【００５１】
ここで、ピックアップ３は、レーザー光源、コリメータレンズ、ビームスプリッタ、対物レンズアクチュエータ、及び、光電気信号変換回路(いずれも図示せず)等を備えたものである。また、ディスク再生装置１００では、スピンドルモータ２、ピックアップ３、及び、送りモータ４の駆動制御は、全てドライバ回路５によって行われている。
【００５２】
ピックアップ３は、ディスク１から読み取った情報信号を、光電気信号変換回路にて電気信号に変換し、ＲＦアンプ６に送出する。
【００５３】
ＲＦアンプ６は、上記光電気信号変換回路にて変換された情報信号を増幅して、デコーダ及び信号処理回路を備えたLSI(以下、デコーダLSI７と記す)に出力する。また、ＲＦアンプ６は、上記光電気信号変換回路にて変換された情報信号に基づいて、フォーカスエラー信号、トータル信号、及び、トラッキングエラー信号といったサーボ制御信号を生成する。
【００５４】
デコーダLSI７は、デコーダ、信号処理回路、サーボ回路、音声伸長回路、ショックプルーフメモリーコントローラ、Ｄ／Ａコンバータを備えている。デコーダは、所定の規則に従って符号化されディスク１に記録されていた情報を復号する。
【００５５】
ＲＦアンプ６にて生成されたサーボ制御信号は、デコーダLSI７のサーボ回路に送り出される。デコーダLSI７のサーボ回路は、サーボ制御信号、信号処理回路からのアドレス信号、及び、システムコントローラ用マイクロコンピュータ（以下、システムコントローラ１１と記す）からのコントロール信号に従い、ドライバ回路５を制御する。それゆえ、ディスク再生装置１００では、フォーカシング、トラッキング、または、ディスクスピン等といった各種動作のサーボ制御が行われる。
【００５６】
一方、デコーダLSI７内の信号処理回路は、ＲＦアンプ６にて増幅された情報信号について、アドレス信号の抽出、主信号の復調、誤り訂正といった処理を施す。そして、信号処理回路は、これら処理の済んだ情報信号を、デコーダLSI７内のショックプルーフメモリーコントローラ（以下、メモリコントローラと記す）に送出する。
【００５７】
メモリコントローラは、ショックプルーフメモリ８に対する情報の書き込み、及び、読み出しを制御する手段である。信号処理回路から送出された情報信号は、一旦、ショックプルーフメモリ８に書き込まれる。なお、この際の書き込みレートは、ディスクの回転が1.5倍速の場合、1.5×1.4Mbit／秒である。
【００５８】
そして、デコーダLSI７内のメモリコントローラは、一旦信号処理回路から情報信号が送出されたショックプルーフメモリ８から、0.3Mbit／秒の読み出しレートで、再度、情報信号を読み出して、デコーダLSI７内の音声伸長回路に送出する。
【００５９】
このように、ディスク再生装置１００では、ディスク１から読み出した情報信号をショックプルーフメモリ８に書き込む速度と、ショックプルーフメモリ８から音声伸長回路に上記情報信号を送出する速度との間には、1.5×1.4−0.3=1.8Mbit／秒の差異がある。この処理速度の差によって、ショックプルーフメモリ８には時間軸圧縮を解く前の上記情報信号が蓄積されることになる。
【００６０】
さらに、ショックプルーフメモリ８は、ディスク１より読み出したＵ−ＴＯＣ情報(ディスクタイトル名や各トラックタイトル名等)の格納も行っている。このため、ショックプルーフメモリ８から、例えば、ディスク１に記録されている各曲のスタート位置、エンド位置、あるいは、時間情報等を得ることができる。
【００６１】
続いて、デコーダLSI７内の音声伸長回路は、入力された情報信号を所定のフォーマットに従って、時間軸伸長することで圧縮を解く。そして、圧縮が解かれた情報信号をＤ／Ａコンバータに送る。
【００６２】
Ｄ／Ａコンバータでは、圧縮が解かれた情報信号をアナログ変換することで、音声／音楽データが生成される。
【００６３】
そして、デコーダLSI７内のＤ／Ａコンバータにて生成された音声／音楽データは、アンプ回路９に出力されて、音量等が調節される。そして、ヘッドホン１０を通じて、使用者に音声／音楽データの再生出力が行われる。
【００６４】
また、電源電圧検出回路１３は、電源１４の電圧値を検出する。システムコントローラ１１は、電源電圧検出回路１３で検出した電源１４の電圧値を常時チェックしている。そして、電源１４の電圧値が、ディスク１の再生動作に適しているか否かといった確認を行ってから、電源回路１２に電力の供給を行っている。なお、電源回路１２はＤＣ−ＤＣ変換回路等で構成されており、ディスク再生装置１００の各部に必要な電圧を供給している。
【００６５】
ここで、ディスク再生装置１００においては、システムコントローラ１１に、蓋閉止スイッチ１５が接続されている。そして、この蓋閉止スイッチ１５の開閉状態は、システムコントローラ１１にて監視されている。
【００６６】
なお、特許請求の範囲に記載の「再生手段」とは、ピックアップ３、ＲＦアンプ６、デコーダLSI７、及びアンプ回路９を備えたもののことをいう。
【００６７】
次に、ディスク再生装置１００の動作について、図２のフローチャートを用いて、具体的に説明する。図２は、ディスク再生装置１００の動作を示すフローチャートである。
【００６８】
まず、図２に示すように、ディスク再生装置１００は、ディスク１を再生するにあたり、ステップｍ１において、システムコントローラ１１は、蓋閉止スイッチ１５がＯＮになっているか否かを検出する。ここで、蓋閉止スイッチ１５がＯＦＦになっている場合、すなわち、蓋が開かれている場合、ステップｍ１に戻り、システムコントローラ１１は、蓋が閉じられたかどうかを定期的に確認する。
【００６９】
蓋閉止スイッチ１５がＯＮになっている場合、すなわち、蓋が閉じられた場合、ステップｍ２に処理が進む。
【００７０】
ステップｍ２では、システムコントローラ１１は、ディスク再生装置１００に内蔵されている温度センサーにより、周辺温度を測定する。
【００７１】
そして、ステップｍ３では、システムコントローラ１１は、ステップｍ２にて検出された周辺温度に基づいて、予め格納されているＤＩＳＣ判定レベル（判定値）の設定値の補正を行う。
【００７２】
上記ＤＩＳＣ判定レベル（判定値）の設定値の補正として、より具体的には、ＭＤの場合、機器の内部温度が高くなると、レーザー出射パワーを下げる。逆に、機器の内部温度が低くなると、レーザー出射パワーを上げる。これにより、光電気変換回路の出力やＲＦ  ＩＣの出力も、若干、上下するようになる。
【００７３】
そして、このように変化するレーザー出射パワーに応じて、ＤＩＳＣ判定レベルを、温度補正する。すなわち、内部温度が高温となると、ＤＩＳＣ判定レベルを少し下げる、また、内部温度が低温になる場合では、逆にＤＩＳＣ判定レベルを上げるような、温度上昇に対し、右下がりの直線となるような補正を行う。
【００７４】
また、ステップｍ４にて、システムコントローラ１１は、ドライバ回路５を動作させ、スピンドルモータ２を起動し、所定の回転数になるまで、ディスク１の回転数を上げる。ディスク１が所定の回転数まで上がった場合、ステップｍ５に処理が進む。
【００７５】
ステップｍ５では、システムコントローラ１１によって、ピックアップ３内部の光電気変換回路の設定、及びＲＦアンプ６に備えられたＲＦ  ＩＣ内部の回路の設定を、高反射設定とする。
【００７６】
ステップｍ５にて、高反射設定する理由としては、先に低反射設定とすると、そこに、高反射ディスクが装着された場合、光電気変換回路の出力が飽和してしまい、高反射ディスクであるのか、低反射ディスクの反射率の高いものなのかが判断が付かないためである。また、高反射設定とは、光電気変換回路のゲインを低い方に設定し、ＲＦ  ＩＣのＥＦＭ信号生成回路の設定のことをいう。
【００７７】
その後、ステップｍ６では、システムコントローラ１１は、ドライバ回路５を動作させ、ピックアップ３のフォーカス駆動回路を動作させ、フォーカスアクチュエータを動かして、フォーカスサーチを行う。
【００７８】
ステップｍ７では、システムコントローラ１１は、フォーカスサーチによって得られるフォーカス系の信号ＡとＢの和であるトータル信号の信号レベル電圧（電気信号値）を読む。
【００７９】
ステップｍ８では、システムコントローラ１１は、ステップｍ７にて確認したトータル信号の信号レベル電圧が、予め設定されたＤＩＳＣ有無判定レベル以上であるかどうかを確認する。トータル信号レベルがＤＩＳＣ有無判定レベル以上である場合、ステップｍ９にて「ディスク有り」と判断される。また、トータル信号レベルがＤＩＳＣ有無判定レベル以上でない場合、ステップｎ１にて「ディスクが入っていない」と判断される。
【００８０】
トータル信号レベルがＤＩＳＣ有無判定レベル以上でない場合、すなわち、ステップｎ１にて「ディスクが入っていない」と判断された場合、ステップｎ２にて、「Ｎｏ  Ｄｉｓｃ」表示を行って、ディスク再生装置１００の動作を停止する。
【００８１】
トータル信号レベルがＤＩＳＣ有無判定レベル以上である場合、ステップｍ９にて、ディスク再生装置１００システムコントローラ１１は「ディスク有り」と判断する。そして、ステップｍ１０にて、再度、ドライバ回路５を動作させる。そして、ピックアップ３のフォーカス駆動回路を動作させ、フォーカスアクチュエータを動かして、フォーカスサーチを行う。
【００８２】
そして、ステップｍ１１にて、システムコントローラ１１は、再度、トータル信号の信号レベル電圧（電気信号値）を読み取る。
【００８３】
その後、ステップｍ１２において、システムコントローラ１１は、ディスク１の種類を判別する。すなわち、ステップｍ１１にて確認したトータル信号の信号レベル電圧が、予め設定され、かつ、ステップｍ３にて温度補正されたＤＩＳＣ判定レベル以上である場合、ステップｍ１３にて、システムコントローラ１１は、再生しようとするディスク１が高反射ディスクであると判断し、ステップｍ１５へ進む。また、ステップｍ１１にて確認したトータル信号の信号レベル電圧が、ＤＩＳＣ判定レベル未満であった場合、ステップｍ１４にて、システムコントローラ１１は、再生しようとするディスク１が低反射ディスクであると判断し、ステップｍ１５へ進む。
【００８４】
ステップｍ１５では、ステップｍ１３またはステップｍ１４にて判断されたディスク、すなわち、高反射ディスクまたは低反射ディスクの設定に基づいて、システムコントローラ１１は、ディスク１のばらつき等を吸収するための機器の調整を行い、ディスク１に記録されたデータを読みに行く。
【００８５】
以下、ステップｍ１３にて、ディスク１が高反射ディスクであると判断された場合における、ディスク再生装置１００の再生動作について、図３に基づいて説明する。図３は、ディスク１が高反射ディスクであると判断した場合における、ステップｍ１６以降のステップを示すフローチャートである。
【００８６】
ステップｍ１３にて、ディスク１が高反射ディスクであると判断された場合、ステップｍ１６にて、システムコントローラ１１は、ディスク１に記録された情報において、ＴＯＣデータを読み取ることができるかを判定する。ステップｍ１６では、高反射ディスクの設定に基づいてディスク１に記録されたＴＯＣデータを読みにいく。
【００８７】
ステップｍ１６にて、高反射ディスクの設定に基づいてディスク１に記録されたＴＯＣデータを読むことができた場合、ステップｍ２４にて、読み取ったＴＯＣデータを基に、音楽データを読み取り、再生音を出力する再生動作を開始する。
【００８８】
一方、ステップｍ１６にて、高反射ディスクの設定に基づいてディスク１に記録されたＴＯＣデータを読むことができない場合、ステップｍ１７にて、システムコントローラ１１は、ディスク１に記録されたデータを、予め設定された回数だけ読む動作のリトライを行う。
【００８９】
そして、再度ステップｍ１８にて、システムコントローラ１１は、ディスク１に記録された情報において、ＴＯＣデータを読み取ることができるかを判定する。
【００９０】
ステップｍ１７にて、予め設定された回数内にディスク１に記録されたＴＯＣデータを読み取ることができた場合、ステップｍ２４に進み、読み取ったＴＯＣデータを基に、音楽データを読み取り、再生音を出力する再生動作を開始する。
【００９１】
ステップｍ１７にて、予め設定された回数内に、ディスク１のＴＯＣデータを読み取ることができない場合、ステップ１９にて、システムコントローラ１１は、判断したディスク設定を逆に変更し、機器の調整を行い、ディスク１のデータを読みに行く。すなわち、ステップ１９では、システムコントローラ１１は、ステップｍ１３にて判断されたディスク、すなわち、高反射ディスクの設定を、低反射ディスクの設定に変更して、ディスク１のばらつき等を吸収するための機器の調整を行い、ディスク１に記録されたデータを読みに行く。
【００９２】
そして、ステップｍ２０にて、システムコントローラ１１は、再度、ディスク１に記録された情報において、Ｕ−ＴＯＣデータを読み取ることができるか否かを判定する。
【００９３】
それでも、ステップｍ２０にて、ディスク１に記録された情報において、Ｕ−ＴＯＣデータを読み取ることができない場合、ステップｋ１にて、システムコントローラ１１は、ディスク１に記録されたデータを、予め設定された回数だけ読む動作のリトライを行う。
【００９４】
そして、再度ステップｋ２にて、システムコントローラ１１は、ディスク１に記録された情報において、Ｕ−ＴＯＣデータを読み取ることができるかを判定する。予め設定された回数内に、ディスク１に記録された情報において、Ｕ−ＴＯＣデータを読み取ることができない場合、ステップｋ３にて、システムコントローラ１１は、所定のエラー表示を行い、ディスク再生装置１００の動作を停止させる。
【００９５】
一方、ステップｍ２０にて、ディスク１に記録された情報において、Ｕ−ＴＯＣデータを読み取ることができた場合、あるいは、ステップｋ２にてリトライした結果、予め設定された回数内に、ディスク１に記録された情報において、Ｕ−ＴＯＣデータを読み取ることができた場合、ステップｍ２１へ進む。
【００９６】
そして、ステップｍ２１にて、システムコントローラ１１は、今回のディスク判定にて得たトータル信号レベル電圧値と過去に測定された電圧値の格納値及び現状設定値を比較／検討し、新たな判定値を計算する。すなわち、記憶されていた信号電圧値と、ステップｍ７及び／またはステップｍ１１にて確認された信号レベル電圧とを比較／検討し、新たな判定値を計算する。
【００９７】
そして、ステップｍ２２にて、現在のディスク判定設定値の代わりに、今回、比較／計算した判定値を、新たな判定値として、格納し、今後のディスク判定に使用する。
【００９８】
その後、ステップｍ２３にて、再生音を出力する再生動作を開始する。
【００９９】
なお、このステップｍ２１における、記憶されていた電気信号値と確認された電気信号値との比較／検討とは、例えば、記憶されていた電気信号値と確認された電気信号値との差を比較／検討することが挙げられる。この場合、記憶されていた電気信号値とＡ／Ｄ変換され確認された電気信号値とが１でも異なるのであれば、電気信号値を新たに設定し直してもよい。また、記憶されていた電気信号値と確認された電気信号値との差が３以上で有れば、電気信号値、すなわち、トータル信号の信号レベル電圧値を、新たな判定値として設定し直してもよい。
【０１００】
また、記憶されていた電気信号値と確認された電気信号値との差を比較／検討に限定されるものではない。例えば、新たに設定する電気信号値、すなわち、新たな判定値は、記憶されていた電気信号値と確認された電気信号値との平均を取ってもよいし、記憶されていた電気信号値と確認された電気信号値との差の１／２の値を、記憶されていた電気信号値に加算する、あるいは、減算してもよい。
【０１０１】
次に、ステップｍ１３にて、ディスク１が低反射ディスクであると判断された場合における、ディスク再生装置１００の再生動作について、図４に基づいて説明する。図４は、ディスク１が低反射ディスクであると判断した場合における、ステップｍ１５以降のステップを示すフローチャートである。
【０１０２】
ステップｍ１３にて、ディスク１が低反射ディスクであると判断された場合、ステップｍ１６’にて、ディスク１に記録された情報において、Ｕ−ＴＯＣデータを読み取ることができるかを判定する。ステップｍ１６’では、低反射ディスクの設定に基づいてディスク１に記録されたＵ−ＴＯＣデータを読みにいく。すなわち、ステップｍ１６’では、ディスク１に記録された情報の中にＵ−ＴＯＣデータが含まれているか否かを判定する。
【０１０３】
ステップｍ１６’にて、低反射ディスクの設定に基づいてディスク１に記録されたＵ−ＴＯＣデータを読むことができた場合、ステップｍ２４’にて、読み取ったＵ−ＴＯＣデータを基に、音楽データを読み取り、再生音を出力する再生動作を開始する。
【０１０４】
一方、ステップｍ１６’にて、低反射ディスクの設定に基づいてディスク１に記録されたＵ−ＴＯＣデータを読むことができない場合、ステップｍ１７’にて、ディスク１に記録されたデータを、予め設定された回数だけ読む動作のリトライを行う。
【０１０５】
そして、再度ステップｍ１８’にて、ディスク１に記録された情報において、Ｕ−ＴＯＣデータを読み取ることができるかを判定する。ステップｍ１７’にて、予め設定された回数内にディスク１に記録されたＵ−ＴＯＣデータを読み取ることができた場合、ステップｍ２４’にて、読み取ったＵ−ＴＯＣデータを基に、音楽データを読み取り、再生音を出力する再生動作を開始する。
【０１０６】
ステップｍ１７’にて、予め設定された回数内に、ディスク１のＵ−ＴＯＣデータを読み取ることができない場合、ステップ１９’にて、判断したディスク設定を逆に変更し、機器の調整を行い、ディスク１のデータを読みに行く。すなわち、ステップ１９’では、ステップｍ１４にて判断されたディスク、すなわち、低反射ディスクの設定を、高反射ディスクの設定に変更して、ディスク１のばらつき等を吸収するための機器の調整を行い、ディスク１に記録されたデータを読みに行く。
【０１０７】
そして、ステップｍ２０’にて、再度、ディスク１に記録された情報において、ＴＯＣデータを読み取ることができるか否かを判定する。
【０１０８】
それでも、ステップｍ２０’にて、ディスク１に記録された情報において、ＴＯＣデータを読み取ることができない場合、ステップｋ１’にて、ディスク１に記録されたデータを、予め設定された回数だけ読む動作のリトライを行う。
【０１０９】
そして、再度ステップｋ２’にて、ディスク１に記録された情報において、ＴＯＣデータを読み取ることができるかを判定する。予め設定された回数内に、ディスク１に記録された情報において、ＴＯＣデータを読み取ることができない場合、ステップｋ３’にて、所定のエラー表示を行い、ディスク再生装置１００の動作を停止させる。
【０１１０】
一方、ステップｍ２０’にて、ディスク１に記録された情報において、ＴＯＣデータを読み取ることができた場合、あるいは、ステップｋ２’にてリトライした結果、予め設定された回数内に、ディスク１に記録された情報において、ＴＯＣデータを読み取ることができた場合、ステップｍ２１’へ進む。
【０１１１】
そして、ステップｍ２１’にて、今回のディスク判定にて得たトータル信号レベル電圧値と過去に測定された電圧値の格納値及び現状設定値を比較／検討し、新たな判定値を計算する。すなわち、記憶されていた信号電圧値と、ステップｍ７及び／またはステップｍ１１にて確認された信号レベル電圧とを比較／検討し、新たな判定値を計算する。
【０１１２】
そして、ステップｍ２２’にて、現在のディスク判定設定値の代わりに、今回、比較／計算した値を、新たな判定値として、格納し、今後のディスク判定に使用する。
【０１１３】
その後、ステップｍ２３’にて、再生音を出力する再生動作を開始する。
【０１１４】
なお、このステップｍ２１’における、記憶されていた電気信号値と確認された電気信号値との比較／検討とは、例えば、記憶されていた電気信号値と確認された電気信号値との差を比較／検討が挙げられる。この場合、記憶されていた電気信号値とＡ／Ｄ変換され確認された電気信号値とが１でも異なるのであれば、電気信号値を新たに設定し直してもよい。また、記憶されていた電気信号値と確認された電気信号値との差が３以上有れば、電気信号値すなわち、トータル信号の信号レベル電圧値を、新たな判定値として設定し直してもよい。
【０１１５】
また、記憶されていた電気信号値と確認された電気信号値との差を比較／検討に限定されるものではない。例えば、新たに設定する電気信号値、すなわち、新たな判定値は、記憶されていた電気信号値と確認された電気信号値との平均を取ってもよいし、記憶されていた電気信号値と確認された電気信号値との差の１／２の値を、記憶されていた電気信号値に加算する、あるいは、減算してもよい。
【０１１６】
次に、図２〜図４に示した再生動作に基づく、ディスク再生装置１００の具体的構成及び作用について、図５及び図６に基づいて説明する。図５は、図２のフローチャートのステップｍ４からステップｍ１２までの動作により得られた、トータル信号及びフォーカスエラー信号を示す波形図である。図６は、ディスク再生装置１００の再生動作を具体的に示すための各部の回路構成図である。
【０１１７】
ピックアップ３は、内部に、対物レンズ３ａ、アクチュエータ３ｂ、光学回路３ｃ、及び、光電気信号変換部（光電気信号変換手段）３ｄを備えている。また、デコーダLSI７は、トータル信号生成／読み取り部７ａ、及び、フォーカスエラー信号生成／読み取り部７ｂを備えている。さらに、システムコントローラ１１は、ディスク判別部（ディスク判別手段）１１ａ、正常再生判定部（正常再生判定手段）１１ｂ、及び、ディスク設定切り換え部（ディスク設定変更手段）１１ｃを備えている。
【０１１８】
ディスク再生装置１００では、ドライバ回路５から出力されたフォーカス駆動電圧によって、ピックアップ３内部のアクチュエータ３ｂのフォーカスアクチュエータが上下方向に動作し、対物レンズ３ａによりディスクに照射されたレーザー光が、ディスク１より反射された戻り光が光学回路３ｃを経由して、光電気信号変換部３ｄに入力される。
【０１１９】
光電気信号変換部３ｄにて光電気信号に変換されたフォーカス系信号である、Ａ信号及びＢ信号は、ＲＦアンプ６により、電流電圧信号に変換され、デコーデコーダLSI７内部のトータル信号生成／読み取り部７ａとフォーカスエラー信号生成／読み取り部７ｂとに入力される。
【０１２０】
デコーダLSI７内部のトータル信号生成／読み取り部７ａとフォーカスエラー信号生成／読み取り部７ｂとに入力されたフォーカス系信号のＡ信号及びＢ信号は、トータル信号生成／読み取り部７ａによりトータル信号（Ａ＋Ｂ信号）が生成される。また、フォーカスエラー信号生成／読み取り部７ｂにより、フォーカスエラー信号（ＦＥ信号）が生成される。このように生成された、トータル信号（Ａ＋Ｂ信号）及びフォーカスエラー信号（ＦＥ信号）を図５に示す。
【０１２１】
図２に示すように、１回目のフォーカスサーチ（ステップｍ７）に基づいて、ディスク有無の判定が行われる。また、２回目のフォーカスサーチ（ステップｍ１１）に基づいて、ディスク１が高反射ディスクか、あるいは低反射ディスクかの判定が行われる。これらディスク有無の判定、及び、ディスク１が高反射ディスクか、あるいは低反射ディスクかの判定は、トータル信号（Ａ＋Ｂ信号）の電圧レベルを使用して行われる。
【０１２２】
１回目のフォーカスサーチ（ステップｍ７）にて、システムコントローラ１１内部のディスク判別部１１ａは、トータル信号生成／読み取り部７ａより得られたトータル信号の電圧レベルのピーク値が、ＤＩＳＣ有無判定レベル以上であるか否かを判別する。
ディスク判別部１１ａが、トータル信号の電圧レベルがＤＩＳＣ有無判定レベル以上であると判別すると、システムコントローラ１１は、ＤＩＳＣが装着されたと判断する。
【０１２３】
また、２回目のフォーカスサーチ（ステップｍ１１）にて、システムコントローラ１１内部のディスク判別部１１ａは、トータル信号生成／読み取り部７ａより得られたトータル信号の電圧レベルが、ＤＩＳＣ判定レベルを上回るのか否かを判別する。
【０１２４】
なお、低反射ディスクから得られるトータル信号のピーク値は、高反射ディスクから得られるトータル信号のピーク値より小さいので、低反射ディスクの有無を確実に検出できるように、上記ＤＩＳＣ有無判定レベルは、低反射ディスクから得られるトータル信号のピーク値より小さくなるように設定される。
【０１２５】
一方、ＤＩＳＣ判定レベルは、低反射ディスクから得られるトータル信号のピーク値より大きく、高反射ディスクから得られるトータル信号のピーク値より小さくなるように設定される。このようにＤＩＳＣ判定レベルを設定すると、トータル信号のピーク値が、ＤＩＳＣ判定レベルより大きい場合に、高反射ディスクを検出することができ、トータル信号のピーク値が、ＤＩＳＣ判定レベルより小さい場合に、低反射ディスクを検出することができる。すなわち、上記のようにＤＩＳＣ判定レベルを設定すると、ＤＩＳＣ判定レベルとトータル信号との大小関係を検出するだけで、ディスクの種類を判別できるので、構成の簡素化に有効である。
【０１２６】
また、ディスク再生装置１００では、内部温度に応じて、レーザービームの出力を変化させている。内部温度が低温である場合には、レーザービームの出力を上げる一方、内部温度が高温である場合には、レーザービームの出力を下げる動作が行われている。それゆえ、同じ種類のディスク１を再生した場合であっても、光電気信号変換部３ｄにより変換されるトータル信号（電気信号）の値が内部温度に応じて変化することとなる。このような場合、ディスク再生装置１００では、内部温度により、ＤＩＳＣ判定レベルあるいはトータル信号のどちらかの温度補正が行われる。
【０１２７】
より具体的には、レーザービームの出力を下げる動作が行われた場合、ＤＩＳＣ判定レベルの設定値も、その温度に合せて、下げる補正を行う。また、レーザービームの出力を上げる動作が行われた場合には、ＤＩＳＣ判定レベルの設定値を上げる補正を行う。例えば、内部温度が、通常温度の２５℃に対し１０℃上がった場合には、ＤＩＳＣ判定レベルの設定値を、当初の設定値から１下げたものを採用する。
【０１２８】
ディスク判別部１１ａが、トータル信号の電圧レベルがＤＩＳＣ判定レベルを上回ると判別すると、ディスク１が高反射ディスクであると判別される。一方、ディスク判別部１１ａが、トータル信号の電圧レベルがＤＩＳＣ判定レベルを下回ると判別すると、ディスク１が低反射ディスクであると判別されることとなる。
【０１２９】
なお、１回目のフォーカスサーチ、及び、２回目のフォーカスサーチにおいて、ディスク再生装置１００では、システムコントローラ１１からピックアップ３内部の光電気信号変換部３ｄへゲイン切り換え信号が送出される。そして、このゲイン切り換え信号は、ＤＩＳＣ有無の判定の場合、及び高反射／低反射ディスクの判定の場合ともに、「高反射ディスク設定」（ゲイン低モード）に設定される。
【０１３０】
また、２回目のフォーカスサーチにて、ディスク１の判定を行った後、システムコントローラ１１からピックアップ３内部の光電気信号変換部３ｄに送出されるゲイン切り換え信号が、判定結果に基づいて出力される。例えば、ディスク１が低反射ディスクであると判別された場合、ゲイン切り換え信号としてＨＩＧＨレベル信号が出力される。また、ディスク１が高反射ディスクであると判別された場合、ゲイン切り換え信号としてＬＯＷレベル信号が光電気信号変換部３ｄに出力される。
【０１３１】
その後、ディスク再生装置１００では、ピックアップ３／ＲＦアンプ６内のＲＦ回路／ディスク１のばらつきを吸収するために、自動調整を行われる。そして、調整完了後に、ディスク１に記録されているＴＯＣ情報が読み取られ、再生動作が行われる。その際に、システムコントローラ１１内部の正常再生判定部１１ｂは、正常に再生動作が行われるか否かを判定する。すなわち、ばらつきを吸収するための自動調整が完了したか、あるいは、ディスク１に記録されているＴＯＣ情報が適切に読み出されたかを判定する。
【０１３２】
システムコントローラ１１内部の正常再生判定部１１ｂが、非正常であると判定した場合（自動調整が完了していない、あるいは、ディスク１に記録されているＴＯＣ情報が読み出されていないといった異常判定がなされた場合）、ディスク設定切り換え部１１ｃは、システムコントローラ１１からピックアップ３内部の光電気信号変換部３ｄへ送出されたゲイン切り換え信号を、異なる種類のディスク設定に切り換える。例えば、ゲイン切り換え信号としてＨＩＧＨレベル信号が出力され、正常再生判定部１１ｂにて、非正常であると判定された場合には、ディスク設定切り換え部１１ｃはゲイン切り換え信号をＨＩＧＨレベル信号からＬＯＷレベル信号に切り換える。そして、ディスク設定を「低反射ディスク設定」から「高反射ディスク設定」に切り換える。
【０１３３】
逆に、ゲイン切り換え信号としてＬＯＷレベル信号が出力され、正常再生判定部１１ｂにて、非正常であると判定された場合には、ディスク設定切り換え部１１ｃはゲイン切り換え信号をＬＯＷレベル信号からＨＩＧＨレベル信号に切り換える。そして、ディスク設定を「高反射ディスク設定」から「低反射ディスク設定」に切り換える。
【０１３４】
このようにディスク設定切り換え部１１ｃにてディスク設定が切り換えられた後、ディスク再生装置１００では、再度、自動調整が行われ、ディスク１に記録されているＴＯＣ情報が読み取られるという再生動作を行うこととなる。
【０１３５】
なお、「高反射ディスク」及び「低反射ディスク」は、光電気信号変換手段を、高反射ディスク設定として、レーザーを点灯し、ディスクからの反射光を光電気信号変換手段にて検出した場合、その検出された電圧波形の波高値が判定値を上回るか下回るかによって決定される。波高値が判定値を超えた場合には、高反射ディスクと判断し、それ未満の場合、低反射ディスクと判断する。従来では、ピックアップ(レーザー出力)、光電気信号変換手段やディスク反射率のばらつきにより、このディスク判定の「判定値」がグレイゾーンとなって判定を誤ってしまう。
【０１３６】
しかしながら、ディスク再生装置１００では、システムコントローラ１１内部の正常再生判定部１１ｂは、正常に再生動作が行われるか否かを判定し、非正常であると判定した場合、ディスク設定切り換え部１１ｃが、ディスク判別部１１ａが判定した種類と異なる種類のディスク設定に切り換えているので、このようなディスクの誤判定を低減することができる。
【０１３７】
また、本発明のディスク再生装置は、高反射ディスク、及び、低反射ディスクが装着可能なディスク再生装置において、レーザービームの戻り光の光電気信号変換手段と、高反射ディスク及び低反射ディスクのどちらが装着されたかをディスクに照射したレーザーの戻り光量にて判断するディスク検出手段と、上記ディスク検出手段に対応して上記レーザービームの戻り光の光電気信号変換手段の設定を切り換えて、ディスクに記録された情報を再生する再生手段と、上記再生手段による再生が正常に動作しているかどうかを判定する正常再生判定手段と、上記正常再生判定手段によって、非正常と判定された時、上記レーザービームの戻り光の光電気信号変換手段の設定を、上記ディスク検出手段の検出結果と反対の設定として、再度、ディスクに記録された情報を再生しようとする手段を備えた構成であるともいえる。
【０１３８】
さらに、上記ディスク検出手段の高反射／低反射ディスクの検出は、上記レーザービームの戻り光の光電気信号変換手段によって変換された該電気信号が所定値を上回るか下回るかによって検出されるものであり、上記正常再生判定手段によって、非正常と判定された時、今回確認した該電気信号値を基に、上記所定値の設定値を変更する所定値変更手段を備えた構成であるともいえる。
【０１３９】
さらに、上記正常再生判定手段によって、非正常と判定された時、確認した該電気信号値を基に、上記所定値の設定値を変更する場合に、過去に確認され記憶されていた複数個の電気信号値と今回確認された電気信号値を比較し、その比較結果に基づいて、上記所定値の設定値を変更する所定値変更手段を備えた構成であるともいえる。
【０１４０】
所定値変更手段とは、システムコントローラの内部にある所定値変更部１１ｈにおいて記憶部１１ｇに格納されている過去に確認され記憶されていた複数個の電気信号値と今回確認された電気信号値を比較し、その比較結果に基づいて、記憶されていた複数個の値と今回確認された電気信号値の平均値を算出することにより得た値などに、所定値を変更する手段のことである。
【０１４１】
さらに、記憶手段とは、複数個の電気信号値を記憶する記憶部１１ｇのことを意味する。
【０１４２】
さらに、上記ディスク検出手段の高反射／低反射ディスクの検出は、上記レーザービームの戻り光の光電気信号変換手段によって変換された該電気信号が所定値を上回るか下回るかによって検出されるものであるが、その検出を行う際の所定値を 装置に内蔵された温度検出手段によって検出された温度検出値によって上記所定値の設定値の温度補正を行う構成であるともいえる。
【０１４３】
温度検出手段とは、ＲＦアンプ６の中にある温度測定部６ａとシステムコントローラ１１の中の温度検出部１１ｂによって構成され、ＲＦアンプ６の中にある温度測定部６ａにより、基板上に装着されているＲＦアンプの温度を検出した結果がリニアな電圧として出力され、この出力電圧を、システムコントローラの中の温度検出部１１ｂにより検出する手段のことを意味する。
【０１４４】
また、上記電気信号温度補正手段とは、周辺温度の変化に対し、トータル信号生成／読み取り部７ａより得られたディスク判定用の電気信号の読み取り値の温度補正を行うものである。
【０１４５】
あるいは、上記所定値の設定値の温度補正を行う判定値温度補正手段とは、システムコントローラ１１の中にある判定値温度補正部１１ｅにおいて行われるものであり、より的確にディスク判定を行うために、周囲温度により微妙に変化する判定値の温度補正を行うものである。
【０１４６】
温度補正を行う場合には、判定値温度補正手段か、電気信号温度補正手段のどちらかを使用すれば良く、判定値の方を周囲温度に合わせたものとするか、電気信号の方を温度基準値に合せて判定するかである。相対的には、同じ行為を行っていることとなる。
【０１４７】
さらに、上記正常再生判定手段によって、非正常と判定された時、確認した該電気信号値を基に、上記所定値の設定値を変更する場合に、過去に確認され 記憶されていた複数個の電気信号値と今回確認された電気信号値を比較し、その比較結果に基づいて、上記所定値の設定値を変更するが、その過去に確認され記憶されている複数個の電気信号値は、記憶する際に、装置に内蔵された温度検出手段により検出された温度検出値によって電気信号値の温度補正を行って記憶する構成であるともいえる。
【０１４８】
本発明は上述した実施形態に限定されるものではなく、請求項に示した範囲で種々の変更が可能である。例えば、ＤＩＳＣ有無を判断する１回目のフォーカスサーチと高反射/低反射のディスクの判断をする２回目のフォーカスサーチをまとめ、１回のフォーカスサーチにおいて、ＤＩＳＣ有無と高反射/低反射のディスクの判断を同時にしてもよい。すなわち、請求項に示した範囲で適宜変更した技術的手段を組み合わせて得られる実施形態についても本発明の技術的範囲に含まれる。
【産業上の利用可能性】
【０１４９】
本発明のディスク再生装置及びディスク再生方法は、ディスクの再生を光照射によって行う、ＣＤプレイヤー、ＤＶＤプレイヤー、ＭＤプレイヤー等の光ディスク装置に適用することができる。これにより、ディスク判定の誤りに起因する再生動作の停止を防止し得るディスク再生装置及びディスク再生方法を提供することができる。
【図面の簡単な説明】
【０１５０】
【図１】本発明の実施の一形態のディスク再生装置の概略構成を示すブロック図である。
【図２】上記ディスク再生装置の再生動作を示すフローチャートである。
【図３】ディスクが高反射ディスクであると判断した場合における、ステップｍ１５以降のステップを示すフローチャートである。
【図４】ディスクが低反射ディスクであると判断した場合における、ステップｍ１５以降のステップを示すフローチャートである。
【図５】図２のフローチャートのステップｍ４からステップｍ１２までの動作により得られた、トータル信号及びフォーカスエラー信号を示す波形図である。
【図６】図１のディスク再生装置の再生動作を具体的に示すための各部の回路構成図である。
【符号の説明】
【０１５１】
１    ディスク
２    スピンドルモータ
３    ピックアップ（再生手段）
３ｄ    光電気信号変換部（光電気信号変換手段）
４    送りモータ
５    ドライバ回路
６    ＲＦアンプ（再生手段）
６ａ  温度測定部（温度検出手段）
７    デコーダＬＳＩ（再生手段）
８    ショックプルーフメモリ
９    アンプ回路（再生手段）
１０    ヘッドホン
１１    システムコントローラ
１１ａ  ディスク判定部（ディスク判別手段）
１１ｂ  正常再生判定部（正常再生判定手段）
１１ｃ  ディスク設定切り換え部（ディスク設定変更手段）
１１ｄ  温度検出部（温度検出手段）
１１ｅ  判定値温度補正部（判定値温度補正手段）
１１ｆ  電気信号温度補正部（判定値温度補正手段）
１１ｇ  記憶部（記憶手段）
１１ｈ  所定値変更部（所定値変更手段）
１２    電源回路
１３    電源電圧検出回路
１４    電源
１５    蓋閉止スイッチ
１００  ＭＤ再生装置（ディスク再生装置）
【図１】
2006190373.tif 000003
【図２】
2006190373.tif 000004
【図３】
2006190373.tif 000005
【図４】
2006190373.tif 000006
【図５】
2006190373.tif 000007
【図６】
2006190373.tif 000008